(57)【特許請求の範囲】
【請求項１】
基体に表示器を回動可能に支持する表示器支持装置であって、
前記基体又は前記表示器のいずれか一方に設けられ、前記表示器の回動軸となる、軸心から外周面までの距離が相対的に異なる部分を有する軸体と、
前記基体又は前記表示器の他方に設けられ、前記軸体を軸受する、前記軸体の外周面に沿って周方向へ相互に離隔して配置される複数の支持部を有する軸受部と、
複数の前記支持部を前記軸体の外周面に押圧する押圧手段と、を備えている、ことを特徴とした表示器支持装置。
【請求項２】
請求項１に記載の表示器支持装置において、前記軸体は、軸心と交差する方向の断面形状が多角形である、ことを特徴とした表示器支持装置。
【請求項３】
請求項１又は２に記載の表示器支持装置において、前記軸体の外周面は、当該軸体の軸心方向に沿う突条部が設けられている、ことを特徴とした表示器支持装置。
【請求項４】
請求項１〜３のいずれか１項に記載の表示器支持装置において、前記軸体の軸心から外周面までの距離が相対的に長い部分は、当該部分の頂部から周方向の一方側への傾斜面より当該部分の頂部から周方向の他方側への傾斜面の方が緩やかな傾斜面になっている、ことを特徴とした表示器支持装置。
【請求項５】
請求項１〜４のいずれか１項に記載の表示器支持装置において、前記表示器をいずれか一方の回動方向へ付勢する付勢手段を備えている、ことを特徴とした表示器支持装置。
【請求項６】
表示器と、請求項１〜５のいずれか１項に記載の表示器支持装置と、を備えた電子機器。
【発明の詳細な説明】
【技術分野】
【０００１】
本発明は、基体に表示器を回動可能に支持する表示器支持装置、該表示器支持装置を備えた電子機器に関する。
【背景技術】
【０００２】
プリンタやデジタルカメラ等、ユーザが操作を行うための操作画面やデジタル画像等を表示する小型の液晶表示パネル等の表示器（以下、単に「表示器」という。）を備えた電子機器が公知である。このような電子機器においては、表示器が電子機器の基体に回動可能に支持されているとともに、任意の回動位置で表示器の姿勢を保持できるようになっているものが公知である（例えば、特許文献１又は２を参照）。
【０００３】
より具体的には、例えば、板ばね等のばね力を利用して表示器の回動軸とその軸受との摺接部分に一定の摩擦力を生じさせて、その摩擦力で表示器の姿勢を任意の回動位置で保持する支持構造を備えたプリンタが公知である（例えば、特許文献１を参照）。また、例えば、表示器に円弧状に歯が形成されたギヤ体を一体的に設け、そのギヤ体の歯に噛み合うように基体側に板ばねを設け、ギヤ体の歯に板ばねが弾性的に噛み合うことで表示器の姿勢を任意の回動位置で保持する支持構造を備えたスキャナ装置が公知である（例えば、特許文献２を参照）。
【特許文献１】特開２００５−５３０４６号公報
【特許文献２】特開２００７−１４７９３８号公報
【発明の開示】
【発明が解決しようとする課題】
【０００４】
しかしながら、例えば、表示された操作画面にユーザが指で直接触れることで操作が可能なタッチパネル液晶表示器等の表示器においては、ユーザが表示画面に触れる度に表示器が後方へ押動されることになる。そのため、特許文献１に開示された従来技術のように、単に表示器の回動軸とその軸受との摺接部分に一定の摩擦力を生じさせただけでは、その保持力が弱いと、ユーザが表示画面に触れる度に徐々に表示器の回動位置が後方へ変化してしまう虞があった。さらに、そのようなことを防止するために表示器の回動軸とその軸受との摺接部分の摩擦力を強くしていくと、今度は、表示器の回動位置の保持力が強くなり過ぎてしまい、表示器を回動させる際の操作性が低下してしまう虞があった。
【０００５】
また、特許文献２に開示された従来技術においては、一枚の板ばねだけで表示器の回動位置を保持することになる。そのため、充分な保持力が得られずに、ユーザが表示画面に触れることで表示器が前後に揺れ動いたり回動位置が変化してしまったりする虞があった。
【０００６】
本発明は、このような状況に鑑み成されたものであり、その課題は、基体に表示器を回動可能に支持する表示器支持装置において、表示器を回動させる際の操作性を低下させることなく表示器を所望の回動姿勢で確実に保持することを可能にすることにある。
【課題を解決するための手段】
【０００７】
上記課題を達成するため、本発明の第１の態様は、基体に表示器を回動可能に支持する表示器支持装置であって、前記基体又は前記表示器のいずれか一方に設けられ、前記表示器の回動軸となる、軸心から外周面までの距離が相対的に異なる部分を有する軸体と、前記基体又は前記表示器の他方に設けられ、前記軸体を軸受する、前記軸体の外周面に沿って周方向へ相互に離隔して配置される複数の支持部を有する軸受部と、複数の前記支持部を前記軸体の外周面に押圧する押圧手段と、を備えている、ことを特徴とした表示器支持装置である。
【０００８】
このように、軸受部には、軸体の外周面に沿って周方向へ相互に離隔して配置される複数の支持部が設けられている。また、その複数の支持部は、押圧手段によって軸体の外周面に押圧される。したがって、表示器は、軸受部に軸受された軸体の外周面が複数の支持部の内周面に摺接しながら、摺接面に生ずる摩擦力による回動抵抗が付与された状態で回動可能に軸支される。
【０００９】
そして、表示器の回動軸となる軸体は、軸心から外周面までの距離が相対的に異なる部分を有している。そのため、軸受部の支持部は、軸体の外周面の軸心からの距離が相対的に短い部分から長い部分へ摺接する場合には、押圧手段の押圧力に抗して外方へ変位する。他方、軸受部の支持部は、軸体の外周面の軸心からの距離が相対的に長い部分から短い部分へ摺接する場合には、押圧手段の押圧力により内方へ変位する。すなわち、表示器は、軸体の外周面の軸心からの距離が相対的に長い部分が軸受部の支持部と支持部との間に位置する回動位置へ付勢された状態で軸支されることになる。
【００１０】
また、軸体の外周面の軸心からの距離が相対的に長い部分が軸受部の支持部と支持部との間にある状態では、軸体の外周面のその部分が支持部間に嵌合するように係合する。すなわち、この状態の表示器は、摩擦力による回動抵抗に加えて、軸体の外周面のその部分が支持部と支持部との間で狭圧保持されることで回動が係止されるので、その回動位置が最も強固に保持されることになる。
【００１１】
他方、軸体の外周面の軸心からの距離が相対的に長い部分が軸受部の支持部の内周面に摺接する回動位置では、表示器は、略摩擦力による回動抵抗だけで保持されることになる。したがって、表示器は、容易に回動し得る状態となるか、或いは、軸体の外周面の軸心からの距離が相対的に長い部分が支持部間に嵌合するように係合する回動位置へ押圧手段の押圧力により回動することになる。
【００１２】
したがって、表示器の姿勢を保持させたい所望の回動位置において、軸体の外周面の軸心からの距離が相対的に長い部分が軸受部の支持部と支持部との間にある状態となるように、軸体の外周面形状及び軸受部の支持部の形状や配置等を設定して配設する。それによって、その所望の回動位置では、表示器の姿勢を強固に保持することができる。また、それ以外の回動位置においては、表示器の回動操作を容易に行うことができる。尚、所望の回動位置とは、例えば、表示器を使用するときに最適な傾斜角となる一又は二以上の回動位置及び表示器を使用しないときの収容位置となる回動位置等である。
【００１３】
これにより、本発明の第１の態様に記載の表示器支持装置によれば、基体に表示器を回動可能に支持する表示器支持装置において、表示器を回動させる際の操作性を低下させることなく表示器を所望の回動姿勢で確実に保持することができるという作用効果が得られる。
【００１４】
本発明の第２の態様は、前述した第１の態様に記載の表示器支持装置において、前記軸体は、軸心と交差する方向の断面形状が多角形である、ことを特徴とした表示器支持装置である。
【００１５】
このように、軸心と交差する方向の断面形状が多角形の軸体とすることによって、軸心から外周面までの距離が相対的に長い部分を複数有する軸体を容易に実現することができる。そして、その多角形の角部分の間隔等に合わせて各支持部を配置すれば、多角形の角部分が各支持部間に同時に嵌合するように係合させることができる。
【００１６】
すなわち、複数の嵌合部分を周方向へ分散配置し、所望の回動位置でそれらを略同時に嵌合させることによって、表示器を所望の回動位置でより安定的に保持することができる。また、各嵌合部分における保持力を小さくすることができるので、表示器を回動させる際の操作性が低下する虞をより低減させることができる。
【００１７】
本発明の第３の態様は、前述した第１の態様又は第２の態様に記載の表示器支持装置において、前記軸体の外周面は、当該軸体の軸心方向に沿う突条部が設けられている、ことを特徴とした表示器支持装置である。
【００１８】
このように、軸体の外周面に軸心方向に沿う突条部を設けることによって、軸心から外周面までの距離が相対的に長い部分を形成することもできる。そして、突条部の数、間隔、断面形状等を調節することによって、表示器の所望の回転位置における保持力の強さや回動操作時の回動抵抗の強さ等を容易に調節することができる。
【００１９】
本発明の第４の態様は、前述した第１〜第３の態様のいずれかに記載の表示器支持装置において、前記軸体の軸心から外周面までの距離が相対的に長い部分は、当該部分の頂部から周方向の一方側への傾斜面より当該部分の頂部から周方向の他方側への傾斜面の方が緩やかな傾斜面になっている、ことを特徴とした表示器支持装置である。
【００２０】
軸体をこのような形状とすることによって、表示器を一方側へ回動させる際の回動抵抗と他方側へ回動させる際の回動抵抗とが異なるようにすることができる。例えば、タッチパネル液晶表示器の場合には、表示器を前面側（表示面側）へ回動させて立位姿勢となる回動位置へ回動させる方向の回動抵抗が相対的に弱くなるようにする。それによって、表示器を立位姿勢となる回動位置へ回動させる際には、表示器のスムーズな回動操作を実現することができる。他方、表示器を後方側へ回動させる際の回動抵抗は相対的に強くなるので、ユーザが立位姿勢にある表示器の表示画面に触れて操作することにより表示器が後方側へ徐々に回動してしまうことを防止することができる。
【００２１】
本発明の第５の態様は、前述した第１〜第４の態様のいずれかに記載の表示器支持装置において、前記表示器をいずれか一方の回動方向へ付勢する付勢手段を備えている、ことを特徴とした表示器支持装置である。
【００２２】
このように、表示器をいずれか一方の回動方向へ付勢する付勢手段を設けることによって、その回動方向への表示器の回動操作をスムーズに行うことが可能になる。また、付勢手段による付勢力で表示器を自動的に所望の回動位置へ回動させることも可能になる。したがって、表示器を回動させる際の操作性をさらに向上させることができる。
【００２３】
本発明の第６の態様は、表示器と、前述した第１〜第５の態様のいずれかに記載の表示器支持装置と、を備えた電子機器である。  
本発明の第６の態様に記載の電子機器によれば、表示器を備えた電子機器において、前述した第１〜第５の態様のいずれかに記載の発明による作用効果を得ることができる。
【発明を実施するための最良の形態】
【００２４】
以下、本発明の実施の形態を図面に基づいて説明する。
【００２５】
＜インクジェットプリンタの概略構成＞
まず、本発明に係る「電子機器」としてのインクジェットプリンタ５０の概略構成について説明する。  
図１は、インクジェットプリンタ５０の外観斜視図である。図２は、インクジェットプリンタ５０の要部側断面図である。
【００２６】
プリンタ本体１の上面には、各種操作ボタン類を有する操作パネル４及び各種表示を行う液晶表示パネル１０が配設されている。プリンタカバー５は、回動軸６で回動可能に操作パネル４に軸支されている。インクジェットプリンタ５０は、使用しないときにはプリンタカバー５を閉じた状態とすることによって、プリンタ本体１の上面に配設されている操作パネル４及び液晶表示パネル１０がプリンタカバー５で覆い隠されて保護される。液晶表示パネル１０は、軸部１１を回動軸として回動可能に操作パネル４に軸支されており、符号Ｃで示した方向へ回動させて立位姿勢を保持して使用することができる。プリンタ本体１には、インクジェットプリンタ５０を落ち運びするためのハンドル２０が回動可能に配設されている。
【００２７】
プリンタ本体１の前面には、記録実行後の記録紙Ｐが排出される排出口７が設けられており、その排出口７を開閉可能に排出用トレイ３が配設されている。排出用トレイ３は、回動可能にプリンタ本体１に軸支されている。インクジェットプリンタ５０を使用しないときには、排出用トレイ３を閉じた状態とすることによって、排出口７が排出用トレイ３で覆い隠された状態となる。また、インクジェットプリンタ５０を使用するときには、排出用トレイ３を符号Ａで示した方向へ開いた状態とすることによって、排出口７から排出される記録実行後の記録紙Ｐがその開いた状態の排出用トレイ３に積重される。
【００２８】
インクジェットプリンタ５０は、記録紙Ｐに記録を実行する手段として、搬送駆動ローラ５１、搬送従動ローラ５２、プラテン５３、排出駆動ローラ５４、排出従動ローラ５５、キャリッジ６１及び記録ヘッド６２をプリンタ本体１内に備えている。また、インクジェットプリンタ５０は、その記録を実行する手段へ向けて記録紙Ｐを一ずつ自動給送する自動給送装置を構成する載置部７１、エッジガイド７２、給送用ローラ７３及びリタードローラ７４を備えている。プリンタ本体１の上面には、記録紙Ｐを前記の自動給送装置で供給するための給送用開口部２が設けられている。符号Ｂで示した方向へ開いた状態のプリンタカバー５は、前記の自動給送装置で給送する記録紙Ｐが載置される給送用トレイとして機能する。
【００２９】
載置部７１は、給送用開口部２に臨む位置に配設されている。公知のエッジガイド７２は、記録紙Ｐの幅方向（搬送方向Ｙと交差する方向）へスライド可能に載置部７１に配設されており、記録紙Ｐのサイズに応じて記録紙Ｐの幅方向の載置位置を規定することができる。開いた状態のプリンタカバー５に載置された記録紙Ｐは、図示していないホッパにより給送用ローラ７３の外周面に押圧され、給送用ローラ７３の駆動回転により、搬送駆動ローラ５１へ向けて給送される。このとき、公知のリタードローラ７４の従動回転抵抗によって、最上位の記録紙Ｐから他の記録紙Ｐが分離され、記録紙Ｐの重送が防止される。
【００３０】
給送用ローラ７３の駆動回転により給送された記録紙Ｐは、搬送駆動ローラ５１と搬送従動ローラ５２とで挟持され、搬送駆動ローラ５１の駆動回転により搬送方向Ｙへ所定の搬送量でプラテン５３上を搬送される。キャリッジ６１の底部には、記録紙Ｐの記録面にインクを噴射してドットを形成する記録ヘッド６２が配設されている。キャリッジ６１は、記録ヘッド６２のヘッド面とプラテン５３上の記録紙Ｐの記録面とが略平行で一定の間隔となる状態を維持しながら搬送方向Ｙと略直交する方向へ往復動可能に支持されている。
【００３１】
プラテン５３上を搬送される記録紙Ｐは、キャリッジ６１が搬送方向Ｙと略直交する方向へ往復動しながら記録ヘッド６２のヘッド面から記録紙Ｐの記録面へインクを噴射してドットを形成する動作と、搬送駆動ローラ５１の駆動回転により搬送方向Ｙへ所定の搬送量で記録紙Ｐを搬送する動作とが交互に繰り返されることによって、記録面への記録が実行される。インク噴射後の記録紙Ｐは、排出駆動ローラ５４と排出従動ローラ５５とで挟持され、排出駆動ローラ５４の駆動回転により搬送方向Ｙへ搬送される。記録実行後の記録紙Ｐは、排出口７から開いた状態の排出用トレイ３に排出されて積重される。
【００３２】
＜操作パネルの概略構成＞
つづいて、操作パネル４の概略構成について、図３〜図５を参照しながら説明する。
【００３３】
図３は、液晶表示パネル１０を閉じた状態の操作パネル４の斜視図である。図４は、液晶表示パネル１０を開いた状態の操作パネル４の斜視図である。図５は、操作パネル４を裏面側から観た斜視図である。  
操作パネル４の周部には、プリンタ本体１へ取り付けるための爪部又は孔部からなる取付部４１が複数設けられており、これらがプリンタ本体１に設けられた凹部や凸部等と係合した状態で、プリンタ本体１に操作パネル４が取り付けられる。カバー軸受部４２は、前記のプリンタカバー５の回動軸６を軸受する。また、操作パネル４には、記録実行ボタン等の操作ボタン８１〜８９が図示の如く配設されている。そして、「基体」としての操作パネル４の液晶パネル取付部４３には、「表示器」としての液晶表示パネル１０が回動可能に軸支されている。
【００３４】
液晶表示パネル１０は、後方へ回動させて液晶パネル取付部４３に収容された状態（図３）で使用することもできるし、符号Ｃで示したように前方へ回動させた立位姿勢（図４）で使用することもできる。操作パネル４の裏側には、液晶表示パネル１０の回動支持部分を覆うパネル裏カバー４４が配設されている（図５）。
【００３５】
＜「表示器支持装置」の第１実施例＞
つづいて、本発明に係る「表示器支持装置」の第１実施例について、図６〜図１３を参照しながら説明する。
【００３６】
図６は、操作パネル４を裏側から観た斜視図であり、パネル裏カバー４４を取り外した状態を図示したものである。図７及び図８は、液晶表示パネル１０の回動支持部分を拡大図示した斜視図である。図９は、液晶表示パネル１０と軸受部品４５だけを抜き出して図示した要部斜視図である。図１０は、液晶表示パネル１０の斜視図である。図１１は、軸受部品４５の斜視図であり、図１２は、その軸受部品４５の正面図である。
【００３７】
液晶表示パネル１０は、回動軸となる「軸体」としての軸部１１が両側端に一体成形されて設けられている（図１０）。軸部１１は、軸心から外周面までの距離が相対的に異なる部分を有しているが、詳細は後述する。液晶表示パネル１０は、両側端の軸部１１がそれぞれ「軸受部」としての軸受部品４５に軸受けされて回動可能に軸支される（図９）。軸受部品４５は、平板状の取付部４５１と「支持部」としての４つの支持腕部４５３を有している。４つの支持腕部４５３は、図示の如く円弧状の形状を有しており、軸受する軸部１１の外周面に沿って周方向へ相互に離隔して配置されている。取付部４５１の略中央部分には、取付孔４５２が設けられている（図１１、図１２）。
【００３８】
軸受部品４５は、操作パネル４に設けられた凸部４６に取付部４５１の取付孔４５２が嵌合した状態で操作パネル４に固設される。４つの支持腕部４５３の周囲には、「押圧手段」としての円弧状のばね４７が周設されている。支持腕部４５３には、ばね４７の脱落を防止する凸部４５４が設けられている。４つの支持腕部４５３は、そのばね４７のばね力による締め付けによって、軸部１１の外周面に押圧されている（図７、図８）。  
図１３は、液晶表示パネル１０の軸部１１と軸受部品４５の支持腕部４５３との係合状態を模式的に図示した正面図である。
【００３９】
図１３（ａ）は、液晶表示パネル１０が操作パネル４の上面に対して略０度の角度となる回動位置（略水平姿勢となる回動位置）にある状態を図示したものである。図１３（ｃ）は、液晶表示パネル１０が操作パネル４の上面に対して略４５度の角度の立位姿勢となる回動位置にある状態を図示したものである。図１３（ｂ）は、液晶表示パネル１０がその略中間の回動位置にある状態を図示したものである。
【００４０】
軸受部品４５の４つの支持腕部４５３は、前記の通り、ばね４７（図７、図８）のばね力による締め付けによって、軸部１１の外周面に押圧されている。したがって、液晶表示パネル１０の軸部１１は、軸部１１の外周面が４つの支持腕部４５３の内周面に摺接した状態で、その４つの支持腕部４５３に軸受される。それによって、液晶表示パネル１０は、軸部１１の外周面と４つの支持腕部４５３の内周面との摺接面に生ずる摩擦力による回動抵抗が付与された状態で、回動可能に操作パネル４に軸支される。
【００４１】
軸部１１は、軸心から外周面までの距離が相対的に異なる部分を有している。より具体的には、軸部１１は、図示の如く軸心と交差する方向の断面形状が正八角形となっている。つまり、正八角形の角の部分１１１は、軸心から外周面までの距離が相対的に長い部分（以下、単に「角部分１１１」という。）、正八角形の辺の部分１１２は、軸心から外周面までの距離が相対的に短い部分（以下、単に「辺部分１１２」という。）、ということになる。
【００４２】
図１３（ａ）に図示した状態から液晶表示パネル１０を符号Ｃで示した回動方向へ回動させていくと、軸受部品４５の４つの支持腕部４５３は、軸部１１の外周面の角部分１１１と摺接し、それによって、ばね４７のばね力に抗して外方Ｅへ変位する（図１３（ｂ））。そして、液晶表示パネル１０をさらに符号Ｃで示した方向へ回動させていくと、軸受部品４５の４つの支持腕部４５３は、軸部１１の外周面の辺部分１１２と摺接し、それによって、ばね４７のばね力により内方Ｄへ変位する(図１３（ｃ）)。すなわち、液晶表示パネル１０は、ばね４７のばね力によって、軸部１１の外周面の角部分１１１が軸受部品４５の支持腕部４５３の間に位置する回動位置へ付勢された状態で軸支される。
【００４３】
また、軸部１１の外周面の角部分１１１が軸受部品４５の支持腕部４５３の間にある状態では、図示の如く、軸部１１の外周面の角部分１１１が支持腕部４５３の間に嵌合するように係合する(図１３（ａ）、図１３（ｃ）)。この状態において、液晶表示パネル１０は、軸部１１の外周面と４つの支持腕部４５３の内周面との摺接面に生ずる摩擦力による回動抵抗に加えて、軸部１１の外周面の角部分１１１が支持腕部４５３の間に狭圧保持された状態で回動が係止される。したがって、液晶表示パネル１０は、操作パネル４の上面に対して略０度の角度の水平姿勢となる回動位置（図１３（ａ））、略４５度の角度の立位姿勢となる回動位置（図１３（ｃ））及び略９０度の角度の立位姿勢となる回動位置（図示せず）において、その回動位置が最も強固に保持されることになる。
【００４４】
それに対して、軸部１１の外周面の角部分１１１が軸受部品４５の支持腕部４５３の内周面に摺接する回動位置では、液晶表示パネル１０は、軸部１１の外周面と４つの支持腕部４５３の内周面との摺接面に生ずる摩擦力による回動抵抗だけで保持されることになる（図１３（ｂ））。したがって、図１３（ｂ）に図示した状態における液晶表示パネル１０は、ユーザが軽く触れただけで容易に回動し得る状態となるか、或いは、ばね４７のばね力によって、操作パネル４の上面に対して略０度の角度の水平姿勢となる回動位置（図１３（ａ））又は略４５度の角度の立位姿勢となる回動位置（図１３（ｃ））のいずれかへ回動することになる。
【００４５】
このようにして、本発明に係る「表示器支持装置」によれば、液晶表示パネル１０を回動させる際の操作性を低下させることなく液晶表示パネル１０を所望の回動姿勢で確実に保持することができる。
【００４６】
また、軸心と交差する方向の断面形状が正八角形等の「多角形」の軸部１１によって、軸心から外周面までの距離が相対的に長い部分（角部分１１１）を複数有する軸部１１を容易に実現することができる。そして、図示の如く、軸部１１の角部分１１１の間隔等に合わせて支持腕部４５３をそれぞれ配置すれば、軸部１１の角部分１１１のそれぞれが支持腕部４５３間に同時に嵌合するように係合させることができる。
【００４７】
すなわち、軸部１１の角部分１１１と支持腕部４５３間との嵌合部分を周方向へ複数分散配置し、液晶表示パネル１０の所望の回動位置で略同時にそれらを嵌合さえることによって、液晶表示パネル１０を所望の回動位置でより安定的に保持することができる。また、各嵌合部分における保持力を小さくすることができるので、液晶表示パネル１０を回動させる際の操作性が低下する虞をより低減させることができる。
【００４８】
尚、軸部１１を操作パネル４に設け、軸受部品４５を液晶表示パネル１０に設けても本発明の実施は可能であることは言うまでもない。
【００４９】
＜「表示器支持装置」の第２実施例＞
つづいて、本発明に係る「表示器支持装置」の第２実施例について、図１４を参照しながら説明する。尚、第２実施例は、軸部１１の形状が異なる以外は、第１実施例と同様であるため、共通する部分の図示及び説明は省略する。
【００５０】
図１４は、第２実施例における液晶表示パネル１０の軸部１１と軸受部品４５の支持腕部４５３との係合状態を模式的に図示した正面図である。
【００５１】
図１４（ａ）は、液晶表示パネル１０が操作パネル４の上面に対して略０度の角度となる回動位置（略水平姿勢となる回動位置）にある状態を図示したものである。図１４（ｃ）は、液晶表示パネル１０が操作パネル４の上面に対して略９０度の角度の立位姿勢となる回動位置にある状態を図示したものである。図１４（ｂ）は、液晶表示パネル１０がその略中間の回動位置となる略４５度の角度となる回動位置にある状態を図示したものである。
【００５２】
第２実施例における軸部１１は、図示の如く、軸心と交差する方向の断面形状が楕円形である。つまり、楕円形の半径が最も長い部分の外周面１１３は、軸心から外周面までの距離が相対的に長い部分（以下、単に「長軸部分１１３」という。）ということになる。
【００５３】
図１４（ａ）に図示した状態から液晶表示パネル１０を符号Ｃで示した回動方向へ回動させていくと、軸受部品４５の４つの支持腕部４５３は、軸部１１の外周面の長軸部分１１３と摺接し、それによって、ばね４７のばね力に抗して外方Ｅへ変位する（図１４（ｂ））。そして、液晶表示パネル１０をさらに符号Ｃで示した方向へ回動させていくと、軸受部品４５の４つの支持腕部４５３は、軸部１１の外周面の長軸部分１１３以外の部分と摺接し、それによって、ばね４７のばね力により内方Ｄへ変位する(図１４（ｃ）)。すなわち、液晶表示パネル１０は、ばね４７のばね力によって、軸部１１の外周面の長軸部分１１３が軸受部品４５の支持腕部４５３の間に位置する回動位置へ付勢された状態で軸支される。
【００５４】
また、軸部１１の外周面の長軸部分１１３が軸受部品４５の支持腕部４５３の間にある状態では、図示の如く、軸部１１の外周面の長軸部分１１３が支持腕部４５３の間に嵌合するように係合する(図１４（ａ）、図１４（ｃ）)。この状態において、液晶表示パネル１０は、軸部１１の外周面と４つの支持腕部４５３の内周面との摺接面に生ずる摩擦力による回動抵抗に加えて、軸部１１の外周面の長軸部分１１３が支持腕部４５３の間に狭圧保持されることで回動が係止される。したがって、液晶表示パネル１０は、操作パネル４の上面に対して略０度の角度の水平姿勢となる回動位置（図１４（ａ））及び略９０度の角度の立位姿勢となる回動位置（図１４（ｃ））において、その回動位置が最も強固に保持されることになる。
【００５５】
それに対して、軸部１１の外周面の長軸部分１１３が軸受部品４５の支持腕部４５３の内周面に摺接する回動位置では、液晶表示パネル１０は、軸部１１の外周面と４つの支持腕部４５３の内周面との摺接面に生ずる摩擦力による回動抵抗だけで保持されることになる（図１４（ｂ））。したがって、図１４（ｂ）に図示した状態における液晶表示パネル１０は、ユーザが軽く触れただけで容易に回動し得る状態となるか、或いは、ばね４７のばね力によって、操作パネル４の上面に対して略０度の角度の水平姿勢となる回動位置（図１４（ａ））又は略９０度の角度の立位姿勢となる回動位置（図１４（ｃ））のいずれかへ回動することになる。
【００５６】
このようにして、本発明に係る「表示器支持装置」によれば、液晶表示パネル１０を回動させる際の操作性を低下させることなく液晶表示パネル１０を所望の回動姿勢で確実に保持することができる。
【００５７】
＜「表示器支持装置」の第３実施例＞
つづいて、本発明に係る「表示器支持装置」の第３実施例について、図１５及び図１６を参照しながら説明する。尚、第３実施例は、軸部１１及び軸受部品４５の形状が異なる以外は、第１実施例と同様であるため、共通する部分の図示及び説明は省略する。
【００５８】
図１５は、第３実施例における軸受部品４５の斜視図である。  
図１６は、第３実施例における液晶表示パネル１０の軸部１１と軸受部品４５の支持腕部４５３との係合状態を模式的に図示した正面図である。
【００５９】
図１６（ａ）は、液晶表示パネル１０が操作パネル４の上面に対して略０度の角度となる回動位置（略水平姿勢となる回動位置）にある状態を図示したものである。図１６（ｃ）は、液晶表示パネル１０が操作パネル４の上面に対して略４５度の角度の立位姿勢となる回動位置にある状態を図示したものである。図１６（ｂ）は、液晶表示パネル１０がその略中間の回動位置にある状態を図示したものである。
【００６０】
第３実施例における軸受部品４５は、「支持部」としての８つの支持腕部４５３を有している。８つの支持腕部４５３は、図示の如く円弧状の形状を有しており、軸受する軸部１１の外周面に沿って周方向へ相互に離隔して配置されている。尚、操作パネル４に設けられた凸部４６に取付部４５１の取付孔４５２が嵌合した状態で操作パネル４に固設される点、支持腕部４５３には、ばね４７の脱落を防止する凸部４５４が設けられている点は、第１実施例における軸受部品４５と同様である。
【００６１】
第３実施例における軸部１１は、図示の如く、円筒体の外周面に軸心方向に沿う８つの突条部１１４が等間隔に設けられた形状を有している。つまり、この突条部１１４が設けられている部分が軸心から外周面までの距離が相対的に長い部分ということになる。突条部１１４は、頂部１１５から周方向の一方側への第１傾斜面１１６より頂部１１５から周方向の他方側への第２傾斜面１１７の方が緩やかな傾斜面になっている。
【００６２】
図１６（ａ）に図示した状態から液晶表示パネル１０を符号Ｃで示した回動方向へ回動させていくと、軸受部品４５の８つの支持腕部４５３は、軸部１１の外周面の第２傾斜面１１７から頂部１１５にかけて摺接し、それによって、ばね４７のばね力に抗して外方Ｅへ変位する（図１６（ｂ））。そして、液晶表示パネル１０をさらに符号Ｃで示した方向へ回動させていくと、軸受部品４５の８つの支持腕部４５３は、軸部１１の外周面の頂部１１５から第１傾斜面１１６へかけて摺接し、それによって、ばね４７のばね力により内方Ｄへ変位する(図１６（ｃ）)。すなわち、液晶表示パネル１０は、ばね４７のばね力によって、軸部１１の外周面の頂部１１５が軸受部品４５の支持腕部４５３の間に位置する回動位置へ付勢された状態で軸支される。
【００６３】
また、軸部１１の外周面の頂部１１５が軸受部品４５の支持腕部４５３の間にある状態では、図示の如く、軸部１１の外周面の頂部１１５が支持腕部４５３の間に嵌合するように係合する(図１６（ａ）、図１６（ｃ）)。この状態において、液晶表示パネル１０は、軸部１１の外周面と８つの支持腕部４５３の内周面との摺接面に生ずる摩擦力による回動抵抗に加えて、軸部１１の外周面の頂部１１５が支持腕部４５３の間に狭圧保持されることで回動が係止される。したがって、液晶表示パネル１０は、操作パネル４の上面に対して略０度の角度の水平姿勢となる回動位置（図１６（ａ））、略４５度の角度の立位姿勢となる回動位置（図１６（ｃ））及び略９０度の角度の立位姿勢となる回動位置（図示せず）において、その回動位置が最も強固に保持されることになる。
【００６４】
それに対して、軸部１１の外周面の頂部１１５が軸受部品４５の支持腕部４５３の内周面に摺接する回動位置では、液晶表示パネル１０は、軸部１１の外周面と８つの支持腕部４５３の内周面との摺接面に生ずる摩擦力による回動抵抗だけで保持されることになる（図１６（ｂ））。したがって、図１６（ｂ）に図示した状態における液晶表示パネル１０は、ユーザが軽く触れただけで容易に回動し得る状態となるか、或いは、ばね４７のばね力によって、操作パネル４の上面に対して略０度の角度の水平姿勢となる回動位置（図１６（ａ））又は略４５度の角度の立位姿勢となる回動位置（図１６（ｃ））のいずれかへ回動することになる。
【００６５】
このようにして、本発明に係る「表示器支持装置」によれば、液晶表示パネル１０を回動させる際の操作性を低下させることなく液晶表示パネル１０を所望の回動姿勢で確実に保持することができる。
【００６６】
また、図１６（ａ）に図示した状態から液晶表示パネル１０を符号Ｃで示した回動方向へ回動させていく場合には、軸受部品４５の８つの支持腕部４５３は、ばね４７のばね力に抗して外方Ｅへ変位しながら、軸部１１の外周面の相対的に緩やかな第２傾斜面１１７から頂部１１５にかけて摺接することになる。逆に、図１６（ｃ）に図示した状態から液晶表示パネル１０を符号Ｃで示した回動方向と逆方向へ回動させていく場合には、軸受部品４５の８つの支持腕部４５３は、ばね４７のばね力に抗して外方Ｅへ変位しながら、軸部１１の外周面の相対的に急峻な第１傾斜面１１６から頂部１１５にかけて摺接することになる。
【００６７】
すなわち、第３実施例においては、液晶表示パネル１０を一方側へ回動させる際の回動抵抗と他方側へ回動させる際の回動抵抗とが異なる。それによって、液晶表示パネル１０を水平状態の回動位置（図１６（ａ））から立位姿勢となる回動位置（図１６（ｃ））へ回動させる際には、液晶表示パネル１０のスムーズな回動操作を実現することができる。他方、液晶表示パネル１０を立位姿勢となる回動位置（図１６（ｃ））から水平状態の回動位置（図１６（ａ））へ回動させる際の回動抵抗は相対的に強くなるので、ユーザが立位姿勢にある液晶表示パネル１０の表示画面に触れて操作することにより液晶表示パネル１０が後方側へ徐々に回動してしまうことを防止することができる。
【００６８】
＜「表示器支持装置」のその他の実施例＞
上述した第１実施例〜第３実施例のいずれかにおいて、さらに液晶表示パネル１０をいずれか一方の回動方向へ付勢する付勢手段を設けることもできる。より具体的には、例えば、液晶表示パネル１０の後面側を前方へ押動するように、つるまきばね、ねじりコイルばね又は板ばね等のばねを配設すれば良い。それによって、前方側へ立てる方向の液晶表示パネル１０の回動操作をよりスムーズに行うことが可能になる。また、そのばね力で液晶表示パネル１０が自動的に所望の回動位置へ回動するようにすることも可能になる。したがって、液晶表示パネル１０を回動させる際の操作性をさらに向上させることができる。
【００６９】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００７０】
【図１】インクジェットプリンタの外観斜視図。
【図２】インクジェットプリンタの要部側断面図。
【図３】液晶表示パネルを閉じた状態の操作パネルの斜視図。
【図４】液晶表示パネルを開いた状態の操作パネルの斜視図。
【図５】操作パネルを裏面側から観た斜視図。
【図６】操作パネルの裏カバーを取り外した状態を図示したもの。
【図７】液晶表示パネルの回動支持部分の一方側を拡大図示した斜視図。
【図８】液晶表示パネルの回動支持部分の他方側を拡大図示した斜視図。
【図９】液晶表示パネルと軸受部品だけを抜き出して図示した要部斜視図。
【図１０】液晶表示パネルの斜視図。
【図１１】軸受部品の斜視図。
【図１２】軸受部品の正面図。
【図１３】第１実施例における軸部と支持腕部との係合状態の正面図。
【図１４】第２実施例における軸部と支持腕部との係合状態の正面図。
【図１５】第２実施例における軸受部品の斜視図。
【図１６】第３実施例における軸部と支持腕部との係合状態の正面図。
【符号の説明】
【００７１】
１  プリンタ本体、４  操作パネル、１０  液晶表示パネル、１１  軸部、４５  軸受部品、４７  ばね、５０  インクジェットプリンタ、５１  搬送駆動ローラ、５２  搬送従動ローラ、５３  プラテン、５４  排出駆動ローラ、５５  排出従動ローラ、６１  キャリッジ、６２  記録ヘッド、１１１  角部分、１１２  辺部分、１１３  長軸部分、１１４  突条部、１１５  頂部、１１６  第１傾斜面、１１７  第２傾斜面、４５１  取付部、４５２  取付孔、４５３  支持腕部、４５４  凸部、Ｐ  記録紙、Ｙ  記録紙の搬送方向
【図１】
0004930718.tif 000002
【図２】
0004930718.tif 000003
【図３】
0004930718.tif 000004
【図４】
0004930718.tif 000005
【図５】
0004930718.tif 000006
【図６】
0004930718.tif 000007
【図７】
0004930718.tif 000008
【図８】
0004930718.tif 000009
【図９】
0004930718.tif 000010
【図１０】
0004930718.tif 000011
【図１１】
0004930718.tif 000012
【図１２】
0004930718.tif 000013
【図１３】
0004930718.tif 000014
【図１４】
0004930718.tif 000015
【図１５】
0004930718.tif 000016
【図１６】
0004930718.tif 000017